(57)【要約】【課題】原子炉の低出力状態から定格出力状態に至る運転領域において、制御棒１０３の引抜操作に伴う局部的な出力上昇を抑制し、より安全側の原子炉運転を可能とする。【解決手段】沸騰水型原子炉の出力レベルに応じて単一又は複数の制御棒の引抜操作を停止させる制御棒引抜監視装置において、制御棒１０３の周辺の中性子束を検出する中性子束検出器１０５から出力された中性子束信号１１８−１〜１１８−ｎを入力し、制御棒の制御棒監視値を算出する局部出力信号処理部と、この局部出力信号処理部により算出された現時点の制御棒の制御棒監視値に設定値を加算して得られた制御棒引抜阻止設定値（ＲＢＬ値）とその後の制御棒の軸方向の位置の制御棒監視値（ＲＢＭ値）とを比較し、制御棒監視値が制御棒引抜阻止設定値に達したときに、制御棒の引抜操作を停止させる停止手段とを備えるようにする。【選択図】    図１
2008008758.tif 000002
【特許請求の範囲】
【請求項１】
沸騰水型原子炉の出力レベルに応じて制御棒の引抜操作を停止させる制御棒引抜監視装置において、
前記制御棒の周辺の中性子束を検出する中性子束検出器と、該中性子束検出器より出力された中性子束信号を入力して前記制御棒の制御棒監視値を算出する局部出力信号処理部と、該局部出力信号処理部により算出された現時点の前記制御棒の前記制御棒監視値に設定値を加算して得られた制御棒引抜阻止設定値とその後の前記制御棒の軸方向の位置の制御棒監視値とを比較して、該制御棒監視値が前記制御棒引抜阻止設定値に達したとき、前記制御棒の引抜操作を停止させる停止手段とを備えることを特徴とする制御棒引抜監視装置。
【請求項２】
沸騰水型原子炉の出力レベルに応じて制御棒の引抜操作を停止させる制御棒引抜監視装置において、
前記制御棒の周辺の中性子束を検出する中性子束検出器と、該中性子束検出器より出力された中性子束信号を入力して前記制御棒の制御棒監視値を算出する局部出力信号処理部と、
前記原子炉の炉心流量に基づいて得られた第１の制御棒引抜阻止設定値と前記制御棒監視値とを比較して、該制御棒監視値が前記第１の制御棒引抜阻止設定値に達したとき、前記制御棒の引抜操作を停止させる第１の停止手段と、
現時点の前記制御棒の前記制御棒監視値に対して設定値を加算して得られた第２の制御棒引抜阻止設定値とその後の前記制御棒の軸方向の位置の制御棒監視値とを比較して、該制御棒監視値が前記第２の制御棒引抜阻止設定値に達したとき、前記制御棒の引抜操作を停止させる第２の停止手段とを備えることを特徴とする制御棒引抜監視装置。
【請求項３】
前記第２の停止手段により前記制御棒の引抜操作が停止したとき、新たに算出された前記制御棒監視値に基づいて前記第２の制御棒引抜阻止設定値を更新させて、前記制御棒の引抜操作の停止を解除することを特徴とする請求項２に記載の制御棒引抜監視装置。
【請求項４】
前記第２の停止手段は、選択された複数の前記制御棒の引抜操作を同時に監視する監視手段を備えていることを特徴とする請求項２又は３に記載の制御棒引抜監視装置。
【発明の詳細な説明】
【技術分野】
【０００１】
本発明は、沸騰水型原子炉の制御棒の引抜き操作を監視する制御棒引抜監視装置に関する。
【背景技術】
【０００２】
沸騰水型原子炉（ＢＷＲ）において、原子炉出力は、冷却水の流量（以下、炉心流量という。）と制御棒の挿入・引抜きにより制御される。例えば、ある制御棒が誤操作により過剰に引き抜かれると、原子炉出力が局所的に急激に上昇し、燃料棒を構成する燃料被覆管等（以下、燃料と略す。）が熱的に損傷するおそれがある。このような燃料の損傷を防止するため、原子炉プラントには、制御棒の引抜きを監視する制御棒引抜監視装置が設けられている。
【０００３】
制御棒引抜監視装置は、炉内の各所に配置される局所出力領域モニタ（以下、ＬＰＲＭという。）から中性子束を検出して出力されるＬＰＲＭ信号と、炉内の炉心流量検出器から出力される炉心流量信号と、制御棒操作監視装置（以下、ＲＣ＆ＩＳという。）から出力される操作制御棒の座標位置を示す位置信号に基づいて、制御棒の引抜きを監視するようになっている。
【０００４】
このような構成において、まず、操作する制御棒が選択されると、ＲＣ＆ＩＳからの位置信号により選択された制御棒の周囲のＬＰＲＭ信号が選択され、そのＬＰＲＭ信号に基づいて制御棒の引抜き監視に用いる制御棒監視値（以下、ＲＢＭ値という。）が算出される。一方、炉心流量検出器からの炉心流量信号に基づいて炉心流量を変数とする制御棒引抜阻止設定値（以下、ＲＢＬ値という。）が算出される。
【０００５】
次に、ＲＢＬ値とＲＢＭ値を比較器において比較し、例えば、操作員の誤動作による制御棒の過剰な引抜きが行われ、ＲＢＭ値が上昇してＲＢＬ値まで達したときは、制御棒引抜阻止信号がＲＣ＆ＩＳへ出力される。ＲＣ＆ＩＳは、制御棒引抜阻止信号を受信すると、制御棒駆動装置へ制御棒停止要求信号を出力し、制御棒の引抜きを停止させる。
【０００６】
このような制御棒引抜監視装置では、通常、複数のＲＢＬ値（例えば３つ）が用意されており、ＲＢＭ値がＲＢＬ値に達して制御棒の引抜きが停止されると、例えば、ＲＢＬ値を上位レベルに切り換えて、制御棒引抜阻止を解除するＲＢＬ値のセットアップ機能を備えている。
【０００７】
制御棒引抜監視装置の例として、例えば、複数のＬＰＲＭのうち所定の組み合わせの中から選ばれたＬＰＲＭの検出信号を用いることにより、制御棒の操作による出力増加の検知性能を向上させる技術が開示されている（特許文献１参照）。
【０００８】
また、ひとつの制御棒に対してＲＢＬ値のセットアップ機能が働いたとき、そのＲＢＬ値よりも低く、所定範囲内の原子炉出力レベルを有する他の制御棒をセットアップ可能とすることにより、手動のセットアップ回数を少なくする技術が開示されている（特許文献２参照）。
【０００９】
【特許文献１】特開昭５７−１３６１９７号公報
【特許文献２】特開２０００−１６２３５６号公報
【発明の開示】
【発明が解決しようとする課題】
【００１０】
ところで、従来の制御棒引抜監視装置では、炉心流量に基づいて算出された複数のＲＢＬ値が、いずれも原子炉の定格出力付近に設定されており、このＲＢＬ値は操作員による変更要求がない限り固定値となっている。
【００１１】
そのため、原子炉出力が低出力状態において、例えば、操作員の制御棒引抜きによる誤動作等の悪条件が重なり、ＲＢＭ値が急激に上昇した場合、ＲＢＭ値がＲＢＬ値に到達しない限り、制御棒の引抜きは停止されず、局所的な出力の上昇により燃料の一部が熱的に激しい状態になることが考えられる。
【００１２】
このように、燃料保護の点からみると、低出力状態から定格出力状態に至るまで、各出力領域条件のＲＢＬ値を適切に定めて、ＲＢＭ値を管理することが望まれる。この点、従来の制御棒引抜監視装置では、例えば、低出力状態における制御棒の引抜きの監視に改善の余地がある。
【００１３】
本発明は、原子炉の低出力状態から定格出力状態に至る運転領域において、制御棒の引抜操作に伴う局部的な出力上昇を抑制し、より安全側の原子炉運転を可能とする制御棒操作監視装置を提供することを課題とする。
【課題を解決するための手段】
【００１４】
上記課題を解決するため、本発明は、沸騰水型原子炉の出力レベルに応じて制御棒の引抜操作を停止させる制御棒引抜監視装置において、制御棒の周辺の中性子束を検出する中性子束検出器と、中性子束検出器より出力された中性子束信号を入力して制御棒の制御棒監視値を算出する局部出力信号処理部と、局部出力信号処理部により算出された現時点の制御棒の制御棒監視値に設定値を加算して得られた制御棒引抜阻止設定値とその後の制御棒の軸方向の位置の制御棒監視値とを比較して、制御棒監視値が制御棒引抜阻止設定値に達したとき、制御棒の引抜操作を停止させる停止手段とを備えることを特徴としている。
【００１５】
この構成によれば、例えば、現時点の制御棒監視値に対し、所定比率の設定値を加算して得られる制御棒引抜阻止設定値をＲＢＬ値とすることができるため、その後の制御棒監視値（ＲＢＭ値）が低出力状態であっても、制御棒の引抜操作に伴う局部的な出力増加をより適切な設定値に基づいて監視することができる。これにより、低出力状態から定格出力状態に至るあらゆる出力領域において、設定範囲の出力増加を検知することができ、より安全側の原子炉運転を実現できる。
【００１６】
また、これに代えて、本発明の制御棒操作監視装置は、制御棒の周辺の中性子束を検出する中性子束検出器と、中性子束検出器より出力された中性子束信号を入力して制御棒の制御棒監視値を算出する局部出力信号処理部と、原子炉の炉心流量に基づいて得られた第１の制御棒引抜阻止設定値と制御棒監視値とを比較して、制御棒監視値が第１の制御棒引抜阻止設定値に達したとき、制御棒の引抜操作を停止させる第１の停止手段と、現時点の制御棒の制御棒監視値に対して設定値を加算して得られた第２の制御棒引抜阻止設定値とその後の制御棒の軸方向の位置の制御棒監視値とを比較して、制御棒監視値が第２の制御棒引抜阻止設定値に達したとき、制御棒の引抜操作を停止させる第２の停止手段とを備えることを特徴としている。
【００１７】
これによれば、炉心流量に基づいて定められる第１の制御棒引抜阻止設定値（第１のＲＢＬ値）を用いた第１の停止手段に加えて、現時点の制御棒監視値に設定値を加算して定められる第２の制御棒引抜阻止設定値（第２のＲＢＬ値）を用いた第２の停止手段を併用することができる。すなわち、例えば、制御棒監視値（ＲＢＭ値）が低出力状態のときは、第２の停止手段を用いて制御棒引抜を監視する一方、定格出力状態付近のときは、第１の停止手段と第２の停止手段を用いて２重の監視を行うことができるため、より安全側の原子炉運転を実現できる。
【００１８】
この場合において、第２の停止手段により制御棒の駆動操作が停止したときは、新たに算出された制御棒監視値に基づいて第２の制御棒引抜阻止設定値を更新させて、制御棒の駆動操作の停止を解除する機能を設けることが好ましい。
【００１９】
また、第２の停止手段は、選択された複数の制御棒の駆動操作を同時に監視する監視手段を備えるものとする。
【発明の効果】
【００２０】
本発明によれば、原子炉の低出力状態から定格出力状態に至る運転領域において、制御棒の引抜操作による局部的な出力上昇を抑制し、より安全側の原子炉運転を実現できる。
【発明を実施するための最良の形態】
【００２１】
以下、本発明の実施の形態について図面を用いて説明する。
【００２２】
図１は、本発明を適用してなる原子炉の制御棒引抜監視システムの一例を説明するブロック図である。
【００２３】
本実施形態の制御棒引抜監視装置は、沸騰水型原子炉の制御棒操作を監視するものであり、従来の制御棒引抜監視装置１０１と本発明の特徴となる制御棒引抜監視補助装置１をそれぞれ独立させて配置し、原子炉１０２内の制御棒１０３の引抜きを２重で監視する構成となっている。
【００２４】
制御棒引抜監視装置１０１、制御棒引抜監視補助装置１は、それぞれＲＣ＆ＩＳ１０８と電気的に接続されており、ＲＣ＆ＩＳ１０８は、制御棒駆動機構１１６と電気的に接続されている。
【００２５】
原子炉１０２の炉心内には、燃料１０４及び制御棒１０３が複数整列して配設され、その周囲には、図１に示すように、複数のＬＰＲＭ１０５が均等に配設されている。ＬＰＲＭ１０５は、炉内の中性子束を検出して得られた信号を局所出力として出力する。また、炉心内には、炉心流量を検出する炉心流量検出器１１１が複数配設されている。
【００２６】
制御棒１０３は、ＲＣ＆ＩＳ１０８からの指令に基づいて制御される制御棒駆動機構１１６により、軸方向に沿って挿入・引抜きの操作が行われ、軸方向の位置、つまり挿入深さが変化する。制御棒１０３の挿入深さが変化すると、炉心の局所的な出力が変化し、その局所出力がＬＰＲＭ１０５によって検知される。
【００２７】
制御棒引抜監視補助装置１と制御棒引抜監視装置１０１には、ＬＰＲＭ１０５から出力されたＬＰＲＭ信号１１８−１〜１１８−ｎと、ＲＣ＆ＩＳ１０８から出力された制御棒操作信号９，１１７が入力され、制御棒引抜監視装置１０１には、炉心流量検出器１１１から出力された炉心流量信号１１９が入力されるようになっている。
【００２８】
制御棒引抜監視装置１０１は、ＬＰＲＭ信号１１８−１〜１１８−ｎ、炉心流量信号１１９に基づいて、それぞれＲＢＭ値、ＲＢＬ値を算出し、これらを比較することにより制御棒１０３の引抜停止の有無を判断する。一方、制御棒引抜監視補助装置１は、ＬＰＲＭ信号１１８−１〜１１８−ｎに基づいて、ＲＢＭ値、ＲＢＬ値を算出し、これらを比較することにより制御棒１０３の引抜停止の有無を判断する。
【００２９】
このような構成において、例えば、操作員の誤操作等により制御棒１０３の過剰な引抜が発生し、原子炉１０２内の局所的な出力の急激な上昇による燃料１０４の破損するおそれがあるときは、制御棒引抜監視補助装置１と制御棒引抜監視装置１０１の少なくとも一方が、制御棒引抜阻止信号８，１１４をＲＣ＆ＩＳ１０８に出力する。
【００３０】
ＲＣ＆ＩＳ１０８は、制御棒引抜阻止信号８，１１４の少なくとも一方を受信すると、制御棒停止要求信号１１５を制御棒駆動機構１１６に出力し、制御棒引抜を停止させる。
【００３１】
本実施形態では、従来の制御棒引抜監視装置１０１に加えて、制御棒引抜監視補助装置１を独立に設けた構成のため、低出力状態から定格出力状態のあらゆる原子炉の運転領域において、制御棒引抜に伴う原子炉の出力上昇を所定の範囲に抑えることができる。これにより、従来の制御棒引抜監視装置１０１のみの制御棒引抜監視と比較して、原子炉の低出力状態における制御棒引抜監視能力を向上させることができる。また、原子炉の定格出力近傍においても、制御棒引抜監視補助装置１及び従来の制御棒引抜監視装置１０１による２重の制御棒引抜監視を行うことができるため、従来よりも高い制御棒引抜監視能力を実現できる。
【００３２】
以下、従来の制御棒引抜監視装置１０１と制御棒引抜監視補助装置１について詳細に説明する。
【００３３】
制御棒引抜監視装置１０１は、ＬＰＲＭ信号処理部１０７、ＲＢＬ演算器１１０、比較器１１３、マンマシンインターフェイス（以下、ＭＭＩという。）１２０を備えて構成される。
【００３４】
制御棒引抜監視装置１０１には、例えば、操作員の誤操作等により制御棒１０３の過剰引抜が発生し、原子炉１０２の局部出力の急激な上昇による燃料１０４の破損を防止するため、ＬＰＲＭ１０５から燃料１０４の熱量発生にかかる炉内のＬＰＲＭ信号１１８−１〜１１８−ｎ、炉心流量検出器１１１からの炉心流量信号１１９、ＲＣ＆ＩＳ１０８からの制御棒操作信号１１７が入力される。
【００３５】
制御棒引抜監視装置１０１は、引抜監視の対象となる制御棒１０３の周囲のＬＰＲＭ信号を用いることから、原子炉１０２の中央部においては、１本の制御棒１０３に対して周辺に隣接する４つのＬＰＲＭ集合体１０６、すなわち１６個のＬＰＲＭ１０５のＬＰＲＭ信号、原子炉１０２の炉壁周辺部においては、３つ又は２つのＬＰＲＭ集合体１０６のＬＰＲＭ信号が入力される。なお、ＬＰＲＭ集合体１０６とは、制御棒の軸方向に平行に配置される一群のＬＰＲＭ１０５をいう。
【００３６】
ＬＰＲＭ信号１１８−１〜１１８−ｎのうち選択した制御棒周囲のＬＰＲＭ信号を選択する処理は、ＬＰＲＭ信号処理部１０７がＲＣ＆ＩＳ１０８から制御棒操作信号１１７を受信し、ＬＰＲＭ信号処理部１０７内のマイクロプロセッサに代表される演算装置が、制御棒操作信号１１７からＬＰＲＭ信号１１８−１〜１１８−ｎのうち選択制御棒の周囲のＬＰＲＭ信号を選択することで行われる。ＬＰＲＭ信号処理部１０７は、制御棒引抜監視のために選択したＬＰＲＭ信号を計算処理し、ＲＢＭ値１０９を算出する。このＲＢＭ値１０９は、ＬＰＲＭ信号選択部１０７の演算周期ごとに更新される。
【００３７】
ＲＢＬ演算器１１０は原子炉１０２の炉心流量検出器１１１から炉心流量信号１１９を受信し、その炉心流量信号１１９に基づいて炉心流量を関数とするＲＢＬ１１２を算出する。
【００３８】
算出されたＲＢＭ値１０９とＲＢＬ値１１２は、比較器１１３へ入力される。比較器１１３は、ＲＢＭ値１０９とＲＢＬ値１１２とを比較して、制御棒引抜によりＲＢＭ値１０９がＲＢＬ値１１２に達すると、ＲＣ＆ＩＳ１０８へ制御棒引抜阻止信号１１４を出力する。ＲＣ＆ＩＳ１０８は、制御棒引抜阻止信号１１４を受信すると、制御棒停止要求信号１１５を制御棒駆動機構１１６へ出力し、制御棒駆動機構１１６は制御棒引抜を停止する。
【００３９】
制御棒引抜監視装置１０１は、ＲＢＬ演算器１１０において、複数のＲＢＬ値１１２（通常は３つ）を有しており、例えば、ＭＭＩ１２０において操作員の要求によりＲＢＬセットアップ要求１２１があると、上位のＲＢＬ値に切り替える機能を有している。このため、ＲＢＭ値１０９がＲＢＬ値１１２に到達し、制御棒の引抜が阻止されたときは、セットアップ要求１２１により、上位のＲＢＭ値にセットアップし、制御棒引抜阻止を除外させる。但し、最上位のＲＢＭ値はセットアップできない。
【００４０】
このＲＢＬセットアップ機能は、制御棒引抜監視装置１０１の拡張機能として、ＬＰＲＭ信号処理部１０７で算出されたＲＢＭ値１０９と炉心流量信号１１９を監視し、ＲＢＬセットアップを制御棒引抜監視装置１０１が自ら行い、操作員のＭＭＩ１２０からの操作を介さずにＲＢＬ値１１２を変更する機能を有している。
【００４１】
なお、制御棒が挿入される状態の原子炉出力下降時においては、制御棒引抜監視装置１０１は、ＲＢＭ値１０９と炉心流量信号１１９を監視し、ＲＢＬ値のセットダウンを自ら行い、低位のＲＢＬ値に変更することができる。
【００４２】
次に、制御棒引抜監視補助装置１について説明する。
【００４３】
制御棒引抜監視補助装置１は、制御棒引抜監視装置１０１と独立に設けられ、２重の制御棒引抜監視システムを構築する。
【００４４】
図２は、図１の制御棒引抜監視補助装置１の信号処理内容を説明するブロック図である。
【００４５】
制御棒引抜監視補助装置１は、ＬＰＲＭ信号処理部２、加算器５、比較器７、ＭＭＩ１０を備えて構成される。
【００４６】
ＬＰＲＭ信号処理部２には、制御棒引抜監視のため、ＬＰＲＭ１０５から出力されるＬＰＲＭ信号１１８−１〜１１８−ｎ、ＲＣ＆ＩＳ１０８から出力される制御棒操作信号９が常時入力される。
【００４７】
制御棒引抜監視補助装置１は、操作する制御棒１０３が選択されると、その制御棒引抜を監視するため、ＬＰＲＭ信号処理部２内のマイクロプロセッサに代表される演算処理装置により、ＬＰＲＭ信号処理部２に入力されるＬＰＲＭ信号１１８−１〜１１８−ｎのうち、選択制御棒周辺のＬＰＲＭ信号を選択する機能を有する。
【００４８】
ＬＰＲＭ信号処理部２において、選択されたＬＰＲＭ信号は、平均及び補正処理されることによりＲＢＭ値が算出され、かつＬＰＲＭ信号処理部２の演算周期（制御棒引抜監視に支障しない周期。例えば１００ｍ秒）毎に更新され、制御棒引抜をリアルタイムで監視するようになっている。
【００４９】
ＬＰＲＭ信号処理部２は、算出されるＲＢＭ値のうち、制御棒１０３が選択された時点でのＲＢＭ値をＲＢＭ初期値４−１としてメモリに保存するとともに、加算器５へ出力し、その後、演算周期毎に算出されるＲＢＭ値４−２を比較器７へ出力する。
【００５０】
加算器５は、ＬＰＲＭ信号処理部２から出力されたＲＢＭ初期値４−１と、例えば、操作員によりＭＭＩ１０のΔＲＢＭ設定機能１３により設定される△ＲＢＭ値１１（例えば、ＲＢＭ初期値４−１の約３〜７％）とを加算してＲＢＬ値６を算出し、このＲＢＬ値６を比較器７へ出力する。
【００５１】
比較器７は、ＲＢＬ値６が入力されると、ＲＢＭ値４−２とＲＢＬ値６とを比較し、ＲＢＭ値４−２がＲＢＬ値６に達したときは、ＲＣ＆ＩＳ１０８へ制御棒引抜阻止信号８を出力する。ＲＣ＆ＩＳ１０８は、制御棒引抜阻止信号８が入力されると、制御棒停止要求信号１１５を制御棒駆動機構１１６へ出力し、制御棒駆動機構１１６により制御棒引抜を停止させる。
【００５２】
ＬＰＲＭ信号処理部２は、操作制御棒の変更や引抜・挿入操作の変更があっても、制御棒引抜を監視できる機能を有している。例えば、操作制御棒の変更時において、ＲＣ＆ＩＳ１０８から出力された制御棒操作信号９が入力されたことにより、操作制御棒が変更されたことを認知すると、制御棒引抜監視に用いるＬＰＲＭ信号をＬＰＲＭ信号１１８−１〜１１８−ｎから再度選択し、ＬＰＲＭ信号処理部２内のメモリに記憶されたＲＢＭ初期値の更新処理を行い、ＲＢＭ初期値４−１とＲＢＭ値４−２の更新を行う。ここで、新たなＲＢＬ値６は、制御棒引抜又は挿入開始時のＲＢＭ初期値４−１に△ＲＢＭを加算して設定される。
【００５３】
また、制御棒引抜監視補助装置１は、複数の制御棒引抜監視についても同時に対応できるように、ＬＰＲＭ信号処理部２に複数の制御棒操作信号９を同時に入力し、それぞれの操作制御棒周辺のＬＰＲＭ信号を選択し、複数の独立したＲＢＭ初期値４−１とＲＢＭ値４−２を算出する機能を有している。
【００５４】
この場合において、加算器５は、複数の独立したＲＢＭ初期値４−１に対し、それぞれＲＢＬ値６を算出して比較器７へ出力する。比較器７は、ＲＢＬ値６が入力されると、各制御棒のＲＢＭ値４−２とＲＢＬ値６とを個別に比較し、いずれかのＲＢＭ値４−２がＲＢＬ値６に達すると、制御棒引抜阻止信号８をＲＣ＆ＩＳ１０８へ出力することにより、操作している複数本の制御棒引抜を停止させる。
【００５５】
本実施形態の制御棒引抜監視補助装置１によれば、原子炉出力が低出力状態のとき、例えば、操作員の制御棒引抜きに伴う誤動作等によりＲＢＭ値が急激に上昇しても、ＲＢＭ初期値４−１に△ＲＢＭを加算して得られるＲＢＬ値６を上限の設定値としてＲＢＭ値を管理することができる。これにより、ＲＢＭ値の変化をより適切に検知して制御棒の引抜きを停止することができ、原子炉運転の安全性を向上できる。
【００５６】
また、制御棒引抜監視補助装置１において制御棒の引抜が阻止されたときは、原子炉の運用性確保のため、ＭＭＩ１０の有する制御棒引抜阻止除外機能３における操作員の要求により、ＲＢＭ値更新信号１２をＬＰＲＭ信号処理部２へ出力し、ＬＰＲＭ信号処理部２のメモリに保存されたＲＢＭ初期値４−１を更新させ、これに伴い、加算器５においてＲＢＬ値６を更新させるものとする。これにより、引き続き制御棒の引抜操作を行うことができる。この場合において、制御棒引抜阻止除外機能３は、制御棒引抜阻止信号８の出力時のみＲＢＭ値更新信号１２が出力されるように、制御棒引抜阻止信号８が制御棒引抜阻止除外機能３に入力されるようになっている。
【００５７】
以上述べたように、本実施形態では、制御棒引抜監視補助装置１を採用することにより、制御棒引抜監視の原子炉出力範囲を、従来の定格出力領域近傍のみから、低出力状態から定格出力状態のあらゆる出力範囲に拡張することができるため、制御棒引抜に伴う原子炉の出力上昇を所定の範囲に抑えることができる。そして、従来の制御棒引抜監視装置１０１と独立に２重の制御棒引抜監視システムを構築することにより、より安全側の原子炉運用を実現できる。
【００５８】
また、制御棒引抜監視補助装置１は、制御棒の引抜が阻止されても、ＭＭＩ１０を介して操作員の要求により制御棒引抜阻止を除外することができるため、従来通りの原子炉の運転性を確保することができる。
【００５９】
なお、本実施形態では、制御棒引抜監視装置１０１と制御棒引抜監視補助装置１を並設させて、２重の制御棒引抜監視を行うようにしているが、これに限定されず、少なくとも、制御棒引抜監視補助装置１の機能を備えていれば、低出力状態から定格出力状態のあらゆる出力範囲において、制御棒引抜に伴う原子炉の出力上昇を所定の範囲に抑えることができ、より安全性の高い原子炉運用を実現できる。
【図面の簡単な説明】
【００６０】
【図１】本発明を適用してなる原子炉の制御棒引抜監視システムの一例を説明するブロック図である。
【図２】図１の制御棒引抜監視補助装置の信号処理内容を説明するブロック図である。
【符号の説明】
【００６１】
１  制御棒引抜監視補助装置
２，１０７  ＬＰＲＭ信号処理部
３  制御棒引抜阻止除外機能
４−１  ＲＢＭ初期値
４−２，１０９  ＲＢＭ値
５  加算器
６，１１２  ＲＢＬ値
７，１１３  比較器
１０，１２０  マンマシンインターフェイス（ＭＭＩ）
１１  ΔＲＢＭ値
１３  ΔＲＢＭ設定機能
１０１  制御棒引抜監視装置
１０２  原子炉
１０３  制御棒
１０４  燃料
１０５  ＬＰＲＭ
１０８  制御棒操作監視装置（ＲＣ＆ＩＳ）
１１０  ＲＢＬ演算器
１１１  炉心流量検出器
１１６  制御棒駆動機構
１１８−１〜１１８−ｎ  ＬＰＲＭ信号
【図１】
2008008758.tif 000003
【図２】
2008008758.tif 000004